(57)【特許請求の範囲】
【請求項１】
前胴周り域及び後ろ胴周り域と、これら前後胴周り域を連繋する股下域を備えるとともに、前記股下域には吸収性部材を備えてなり、前記前後胴周り域で形成される胴周り開口部と、前記前後胴周り域と前記股下域とで形成される一対の脚周り開口部とを有するパンツ形使い捨て着用物品であって、前記前後胴周り開口部の上端側胴周り円の直径が前記左右一対の脚周り開口部上端を通る胴周り円の直径より大きくなるように形成され、前記胴周り方向端部近傍に、着用状態において前記胴周り開口部円の直径を小さくする止着手段を前記胴周り方向端部のいずれか一方に設け、前記前後胴周り域のいずれか一方に止着可能であることを特徴とするパンツ型使い捨て着用物品。
【請求項２】
前記胴周り開口部の上端側胴周り円の直径が前記左右一対の脚周り開口部上端を通る胴周り円の直径の１．１〜３．０倍であることを特徴とする請求項１記載のパンツ型使い捨て着用物品。
【請求項３】
前記胴周り開口部に伸縮弾性を有する弾性部材を配置し、前記止着手段を前記胴周り開口部の伸縮弾性に連動するように配置することを特徴とする請求項１又は２のいずれかに記載のパンツ型使い捨て着用物品。
【請求項４】
前記胴周り開口部に弾性部材を配置するとともに、該弾性部材より下方、かつ脚周り開口部上端より上方にあって、前記前後胴周り域の少なくとも一方に胴周り方向に延出する胴周り弾性部材を配置し、前記止着手段を該胴周り弾性部材の伸縮弾性に連動するように配置することを特徴とする請求項１又は２のいずれかに記載のパンツ型使い捨て着用物品。
【請求項５】
前記胴周り円の直径が、１００〜６５０ｍｍであることを特徴とする請求項１〜４のいずれかに記載のパンツ型使い捨て着用物品。
【発明の詳細な説明】
【０００１】
【発明の属する技術分野】
本発明はパンツ型使い捨て着用物品（いわゆる使い捨ておむつ）に関し、詳しくは、着用者自身で着脱する場合のみならず、介添え者による着脱も容易であることを特徴とするパンツ型使い捨て着用物品に関する。
【０００２】
【従来の技術】
パンツ型使い捨て着用物品は、液透過性トップシートと不液透過性バックシートとで構成される前胴周り域及び後ろ胴周り域と、これら前後胴周り域を連繋する股下域を備えるとともに、前記股下域には液透過性トップシートと不液透過性バックシートとこれら両シートの間に介在する吸水性コアとで構成した吸収性部材を備えてなり、前記前後胴周り域で形成される胴周り開口部と、前記前後胴周り域と前記股下域とで形成される一対の脚周り開口部とを有するパンツ型使い捨て着用物品は種々提供されている。
【０００３】
【発明が解決しようとする課題】
しかしながら、上記従来のパンツ型使い捨て着用物品にあっては、前後胴周り域を接合する型紙上の接合線が両側部で着用物品の長手方向に並行して延びているため、１対の接合線上端間寸法（即ち、胴周り開口部の上端を通る胴周り円の直径Ｌ１、以下「胴周り上端開口部円径」という）と、接合線の下端間寸法（即ち、脚周り開口部の上端を通る胴周り円の直径Ｌ２、以下「脚周り開口部上端円径」という）は略同一であり、さらに、胴周り開口縁部では、弾性部材を伸長状態で接合してギャザーを形成するため、見かけ上の寸法は脚周り開口部上端円径（Ｌ２）よりも胴周り上端開口部円径（Ｌ１）が小さくなるので、パンツを引き上げる際に胴周り開口部のギャザーによる引っかかりが起こり易く、着用者自身で着脱する場合も、介添え者が着脱させる場合も着脱に手間取るものであった。
【０００４】
そこで、本出願人は、実開平２−６９９０６号公報に開示されているように、前後胴周り域が重なるように折り重ねて、前後胴周り域の両側部を融着することによって線状に接合し、それによって両脚周り開口部と胴周り開口部とを形成すると共に、接合線の外方向に摘持部を設け、この摘持部を摘んで前後身頃の接合線を引き裂いて開放することにより、容易に脱がすことのできる使い捨てパンツを提供した。
この使い捨てパンツでは、脱がせることは容易に行うことができるようになったが、装着させる際の手間は従来のものと同様であった。
【０００５】
そのため、着用者の体型に対して大きいサイズの着用製品を使用することが考えられ、それにより装着時の胴周り開口部のギャザーにより引っかかりによる装着困難性は改良されるが、装着使用の際の身体へのフィット感が失われ、着用者に不安感を与えることになる。
本発明は、以上の事情に鑑み、使用者自身が着脱する場合のみならず、介添え者による着脱も容易なパンツ型使い捨て着用物品を提供することを課題としている。
【０００６】
【課題を解決するための手段】
本発明者は上記課題を解決するために鋭意検討した結果、パンツ型使い捨て着用物品において、胴周り上端開口部円径を脚周り開口部上端円径より大きくするよう形成し、着用状態においては胴周り上端開口部円径を小さくする止着手段を設けることにより、上記課題が解決されることを見出し、本発明に到達した。
即ち、本発明は、前胴周り域及び後ろ胴周り域と、これら前後胴周り域を連繋する股下域を備えるとともに、前記股下域には吸収性部材を備えてなり、前記前後胴周り域で形成される胴周り開口部と、前記前後胴周り域と前記股下域とで形成される一対の脚周り開口部とを有するパンツ形使い捨て着用物品であって、前記前後胴周り開口部の上端側胴周り円の直径が前記左右一対の脚周り開口部上端を通る胴周り円の直径より大きくなるように形成され、前記胴周り方向端部近傍に、着用状態において前記胴周り開口部円の直径を小さくする止着手段を前記胴周り方向端部のいずれか一方に設け、前記前後胴周り域のいずれか一方に止着可能であることを特徴とするパンツ型使い捨て着用物品である。
その際、前記胴周り開口部の上端側胴周り円の直径が前記左右一対の脚周り開口部上端を通る胴周り円の直径の１．１〜３．０倍であることを特徴とするパンツ型使い捨て着用物品である。
【０００７】
さらに、胴周り上端開口部に設ける弾性部材を胴周り方向端部近傍に位置する止着手段の近傍まで延在させるか、若しくは該弾性部材より下方、かつ脚周り開口部上端より上方にあって、前記前後胴周り域の少なくとも一方に胴周り方向に延出する胴周り弾性部材を配置し、これら弾性部材に止着手段を連動させることで着用物品のフィット性に寄与させる。その際、止着部材は胴周り上端開口部よりも下方で弾性部材の延長線上、即ち胴周り側縁部に位置させることが可能であり、それによりフィット性が更に向上する。更にまた、胴周り上端開口部円径が、１００〜６５０ｍｍであることを特徴とするパンツ型使い捨て着用物品である。
【０００８】
【発明の実施の形態】
以下、本発明の実施の形態を図面に基づいて説明する。
図１は、本発明のパンツ型使い捨て着用物品の一実施形態を示すものであり、着用物品（１）は、着用物品本体（２）の前胴周り域（３）と後胴周り域（４）と、それらに連繋する股下域とからなり、それらの両側縁部（５）が互いに接合されてパンツ型に形成している。
その際、前後胴周り域の両側部に延出部分（１７）を設けることにより胴周り上端開口部円径（Ｌ１）を脚周り開口部上端円径（Ｌ２）より大きくなるように形成している。延出部分（１７）の形状は図１では三角形状とあいているが、該形状は先細横Ｌ字でも良いが、着脱の容易さからすれば三角形状が好ましい。
着用物品本体（２）は、液透過性トップシート（６）と液不透過性バックシート（７）との間に、吸収性部材（８）を配置した構成となっている。トップシート（６）とバックシート（７）とは、シール、ホットメルト接着剤等によって相互に接合してある。吸収性部材（８）は親水性繊維と高吸収性ポリマーを透水性ティッシュ等で包んだ構成となっている。
【０００９】
着用物品（１）の胴周り部（９）には、その開口部（１０）及び／又は該開口部の下方で脚周り開口部上端の上方部分に、胴周り方向に延びる弾性体（１１）が設けられている。また、脚周り開口部（１２）にも、脚周り方向に延びる弾性体（１３）が設けられている。これら弾性体（１１）、（１３）は、トップシート（６）とバックシート（７）との間に設けられており、トップシート（６）またはバックシート（７）のいずれか一方、又は双方に伸長状態で接合している。
したがって、通常状態では弾性体が収縮することによりシートは襞状のギャザーを形成する。
【００１０】
トップシート（６）は液透過性を有する不織布や織布、開孔を有するプラスチックフィルム、及びそれらの積層体等で構成されており、バックシート（７）は、液不透過性を有するポリオレフィン系のフィルムや疎水性繊維不織布あるいはそれらの積層体等で構成されたものが使用される。
弾性体（１１）、（１３）としては、天然ゴム、合成ゴム（ウレタン系）、熱可塑性合成ゴム（オレフィン系、スチレン系、ニトリル系等）からなる弾性テープ状物が用いられる。また、これら弾性体（１１）、（１３）とトップシート（６）またはバックシート（７）との接合にはホットメルト接着剤等が用いられる。
【００１１】
胴周り開口部（１０）の両側縁部（５）の近傍には、互いに止着可能な止着手段ととしての止着部（１４）が設けられている。止着部（１４）としては、接着テープ、メカニカルファスナー、ボタン、バックル等の通常の被服用の止着具が使用できる。
また、止着具の使用形態としては、特に限定されるものではないが、着用物品の止着部を着用物品本体の前後胴周り域上に配置した本体止着部（１５）（図３参照）に止着したり、止着部の一方を本体止着部に止着した後、もう一方の止着部を前記止着位置に止着したりすると、止着位置が確認し易くなり、また装着使用時に止着位置が移動しないので好ましい。
【００１２】
また、着用物品（１）において、収縮時の脚周り開口部上端円径（Ｌ２）は、１００〜６５０ｍｍの範囲であるのが好ましい。脚周り開口部上端円径Ｌ２が１００ｍｍ以下である場合は乳幼児でも着用することが困難になり、６５０ｍｍ以上である場合は、大人が着用した場合でも身体にフィットし難い。また、収縮時の胴周り上端開口部円径（Ｌ１）は、脚周り開口部上端円径（Ｌ２）の１．１〜３．０倍であることが望ましい。胴周り上端開口部円径（Ｌ１）が脚周り開口部上端円径（Ｌ２）の１．１倍未満である場合は、従来技術の場合に比較して胴周り上端開口部（１０）の大きさがあまり変化しないために、装着時のはきやすさに影響を及ぼし難い。また、３．０倍を越える場合は、着用後に止着させる場合に延出部分（１７）が大きすぎて止着し難い。
【００１３】
本発明の延出部分（１７）は、着用物品本体（２）の両側縁部のいずれか一方、又は双方に設けることが可能であり、双方に設ければ左右対称となり、両足の挿入が容易になり好ましい。
図３は、着用物品本体（２）の両側縁部（５）のいずれか一方のみに延出部分（１７）を設けた実施形態であり、この形態では、延出部分（１７）の胴周り上端開口部の側縁部の近傍に止着部１４が存在し、該止着部は本体止着部（１５）に止着される。図４は、図３に示す着用物品（１）を装着した後、止着部を止着した状態を示している。この実施の形態によれば、いずれか一方の手のみで止着することが可能である。
【００１４】
また、着用物品本体（２）の前胴周り域（３）もしくは後胴周り域（４）のいずれか一方を他方に比べ横幅を大きくして延出し、胴周り上端開口部を大きくしても良い。この場合、延出下部分は装着時には襞状に折り重ねられる。図６は、前胴周り域（３）を後胴周り域（４）に比べ横幅を大きくして延出した場合の装着時状態を示している。この実施の形態によれば、着用物品（１）を装着する際に、着用者の前後方向に胴周り開口部が拡張されるため、着用物品１の中に足を入れ易くなる。
【００１５】
図５は、図１に示したパンツ型使い捨て着用物品の一部に他の部分と剛性の異なる領域（１６）を形成し、かつ、開口部（１０）の下方で脚周り開口部上端の上方部分に胴周り方向に延びる弾性体（１１）が設けられている実施の形態を示している。ここで、剛性の異なる領域（１６）としては、他の部分と剛性の異なるシートを接着している場合や、トップシート６とバックシート７を接合する際にヒートシール部分を形成することや超音波シール部、あるいはホットメルト接着剤等を存在させる場合等が挙げられる。
この実施の形態によれば、延出部分（１７）を折り曲げて止着する際に、剛性の異なる領域（１６）を基点として折り曲げることができ、止着動作の際の折り曲げを容易に、且つ正確な位置で行うことができる。
【００１６】
【発明の効果】
本発明のパンツ型使い捨て着用物品によれば、次の作用効果を期待することができる。
・弱い力で開口を大きく拡げることができ、パンツ型使い捨て着用物品の着脱を容易にすることが可能である。
・パンツ型使い捨て着用物品を装着する際に、足を入れる位置が見やすくなり、着用者や介護者による着脱が容易となる。
・パンツ型使い捨て着用物品を引き上げる際の身体への抵抗を少なくでき、スムースに着脱できる。
【図面の簡単な説明】
【図１】  本発明のパンツ型使い捨て着用物品の１実施形態の正面概略図である。
【図２】  本発明の図１に示すパンツ型使い捨て着用物品の止着部同士を接合した場合の状態図である。
【図３】  本発明のパンツ型使い捨て着用物品のいずれか一方に延出部分を設けた実施形態の正面概略図である。
【図４】  本発明の図３に示すパンツ型使い捨て着用物品の止着部が接合された場合の状態図である。
【図５】  本発明のパンツ型使い捨て着用物品に剛性の異なる領域を設けた実施形態の正面概略図である。
【図６】  本発明のパンツ型使い捨て着用物品の前胴周り域を大きくした実施形態の装着時の正面概略図である。
【符号の説明】
１    着用物品
２    着用物品本体
３    前胴周り域
４    後胴周り域
５    両側縁部
６    トップシート
７    バックシート
８    吸収性部材
９    胴周り上端部
１０  胴周り上端開口部
１１  弾性体
１２  脚周り開口部
１３  弾性体
１４  止着部
１５  本体止着部
１６  剛性の異なる領域
１７  延出部分
Ｌ１  胴周り上端開口部円径
Ｌ２  脚周り開口部上端円径
【図１】
0004548992.tif 000002
【図２】
0004548992.tif 000003
【図３】
0004548992.tif 000004
【図４】
0004548992.tif 000005
【図５】
0004548992.tif 000006
【図６】
0004548992.tif 000007